(57)【要約】 液晶表示装置（Ａ１）は、マトリクス状に配列された複数の画素を有し、複数の第１電極（２Ｒ，２Ｇ）と、第１電極に交差する複数の第２電極（３）と、第１電極および第２電極の間に介在する液晶層と、各第１電極を直接的又は間接的に覆うカラーフィルタと、第１電極及び第２電極に画像表示用の信号を供給するドライバ（７）と、を備える。第１電極は、ドライバの走査信号供給用端子に接続されて、一定周期で走査信号を受けるように構成されている。第２電極は、ドライバの制御信号供給用端子に接続されて、選択的に制御信号を受けるように構成されている。上記ドライバは、上記第１電極および上記第２電極にそれぞれ走査信号及び制御信号を供給することにより、液晶層にＯＮ状態とＯＦＦ状態との２つの状態のみをとらせる。
2007069636.tif 000002
【特許請求の範囲】
【請求項１】
第１方向に延び、且つ当該第１方向に交差する第２方向に間隔をあけて配列された複数の第１電極と、
上記第２方向に延び、且つ上記第１方向に間隔をあけて配列された複数の第２電極と、
上記第１電極および上記第２電極の間に介在する液晶層と、
上記各第１電極を直接的又は間接的に覆うカラーフィルタと、
前記第１電極及び第２電極に画像表示用の信号を供給するドライバと、を備える、マトリクス状に配列された複数の画素を有する液晶表示装置であって、
上記第１電極は、上記ドライバの走査信号供給用端子に接続されて、一定周期で走査信号を受けるように構成されており、
上記第２電極は、上記ドライバの制御信号供給用端子に接続されて、選択的に制御信号を受けるように構成されており、
上記ドライバは、上記第１電極および上記第２電極にそれぞれ走査信号及び制御信号を供給することにより、前記液晶層にＯＮ状態とＯＦＦ状態との２つの状態のみをとらせるように構成されている、液晶表示装置。
【請求項２】
上記第１方向に配列される画素の個数は、上記第２方向に配列される画素の個数よりも多い、請求項１に記載の液晶表示装置。
【請求項３】
上記第１電極の個数は前記第２方向に配列される画素の個数の整数倍であり、上記第２電極の個数は上記第１方向に配列される画素の個数と等しい、請求項２に記載の液晶表示装置。
【請求項４】
上記各画素は、隣接する所定個数の第１電極及び１個の第２電極に対応しており、上記所定個数の第１電極を覆うカラーフィルタは相互に色が異なる、請求項３に記載の液晶表示装置。
【請求項５】
上記複数の画素は、所定個数の単位表示セクションにグループ分けされている、請求項１に記載の液晶表示装置。
【請求項６】
上記第１電極は複数の第１配線を介して上記ドライバの走査信号供給用端子に接続されており、上記第２電極は複数の第２配線を介して上記ドライバの制御信号供給用端子に接続されている、請求項１に記載の液晶表示装置。
【請求項７】
上記第１電極は第１端と当該第１端とは反対の第２端を有しており、上記第１電極のうちの選択されたものは上記第１端にて上記第１配線に接続されており、他の第１電極は上記第２端にて上記第１配線に接続されている、請求項６に記載の液晶表示装置。
【請求項８】
上記ドライバは長矩形状であり、両短辺に上記走査信号供給用端子に備えており、一方の長辺に上記制御信号供給用端子を備えている、請求項６に記載の液晶表示装置。
【請求項９】
上記ドライバは長矩形状であり、一方の長辺に上記走査信号供給用端子と上記制御信号供給用端子を備えている、請求項６に記載の液晶表示装置。
【発明の詳細な説明】
【技術分野】
【０００１】
本発明は、カラー表示用の液晶表示装置に関する。
【背景技術】
【０００２】
添付図面における図９は、例えば特開２００２−２２９００９号公報に開示された従来の液晶表示装置を示している。同図に示された液晶表示装置Ｘは、液晶層（図示略）を挟んで配置された複数の第１電極（走査電極）９１と複数の第２電極（対向電極）９２Ｒ，９２Ｇ，９２Ｂを備えている。第１電極９１と第２電極９２Ｒ，９２Ｇ，９２Ｂとは、対向する１対の透明基板（図示略）の対向面（内面）に、それぞれＩＴＯなどからなる透明電極として形成されており、ドライバ（図示略）に接続されている。第１電極９１は、上記ドライバにより一定周期で走査される電極である。第１電極９１と第２電極９２Ｒ，９２Ｇ，９２Ｂとの間に電圧を印加すると、上記液晶層に含まれる液晶の偏光状態を変更することができる。これにより上記液晶層を透過する光量が調節される。第２電極９２Ｒ，９２Ｇ，９２Ｂには、フィルタ９３Ｒ，９３Ｇ，９３Ｂが重ねられている。フィルタ９３Ｒ，９３Ｇ，９３Ｂは、それぞれ赤色、緑色、青色の光を選択的に透過させるものである。１本の第１電極９１と３本の隣接する第２電極９２Ｒ，９２Ｇ，９２Ｂとの交差部により、１つの画素が構成されている。第２電極９２Ｒ，９２Ｇ，９２Ｂそれぞれに印加する電圧を調節すると、各色の輝度が変化し、上記画素としての発光状態が設定される。液晶表示装置Ｘにおいては、各画素ごとに発光状態を適切に調整することにより、フルカラーの画像表示が可能である。【０００３】
しかしながら、液晶表示装置Ｘにおいては、１つの画素あたり３本の第２電極９２Ｒ，９２Ｇ，９２Ｂが含まれる構成とされている。これにより、図中水平方向における画素の配列個数が垂直方向における画素の配列個数と同じであっても、第２電極９２Ｒ，９２Ｇ，９２Ｂを合計した本数は、複数の第１電極９１の本数の３倍となる。【０００４】
一方、液晶表示装置Ｘが携帯型音楽プレーヤの表示部に用いられる場合などには、図中水平方向における画素の配列個数が垂直方向の配列個数よりも顕著に多い、いわゆる横長タイプの液晶表示装置とされる。この場合、垂直方向の画素の配列個数の減少に応じて第１電極９１の本数も減少させることはできるが、第２電極９２Ｒ，９２Ｇ，９２Ｂについては、水平方向の配列個数の３倍の本数を設けなければならないことに変わりはない。また、液晶表示装置を駆動するドライバについても、フルカラー表示を実現するには、第２電極９２Ｒ，９２Ｇ，９２Ｂに対して複数段階の電圧を印加する必要があるため、複雑な制御が要求される。この結果、ドライバの高機能化とそれに伴う大型化が必要となり、コスト上昇を招いていた。【０００５】
【特許文献１】特開２００２−２２９００９号公報
【発明の開示】
【０００６】
本発明は、以上の情況のもとで考え出されたものであって、カラー表示（擬似的なフルカラー表示も含む）を実現しながらも、小型化およびコスト低減を図ることが可能な液晶表示装置を提供することをその課題とする。
【０００７】
本発明は、カラー表示であっても、フルカラー表示でなければ、階調のある複数の電圧を電極に印加する必要がないため、カラーフィルタに付随する電極（図９の従来例では第２電極９３Ｒ，９３Ｇ，９３Ｂ）を走査電極（走査電圧は常に一定）として利用しても同じことであることに着目してなされたものである。
【０００８】
すなわち、本発明によれば、第１方向に延び、且つ当該第１方向に交差する第２方向に間隔をあけて配列された複数の第１電極と、上記第２方向に延び、且つ上記第１方向に間隔をあけて配列された複数の第２電極と、上記第１電極および上記第２電極の間に介在する液晶層と、上記各第１電極を直接的又は間接的に覆うカラーフィルタと、前記第１電極及び第２電極に画像表示用の信号を供給するドライバと、を備える、マトリクス状に配列された複数の画素を有する液晶表示装置であって、上記第１電極は、上記ドライバの走査信号供給用端子に接続されて、一定周期で走査信号を受けるように構成されており、上記第２電極は、上記ドライバの制御信号供給用端子に接続されて、選択的に制御信号を受けるように構成されており、上記ドライバは、上記第１電極および上記第２電極にそれぞれ走査信号及び制御信号を供給することにより、前記液晶層にＯＮ状態とＯＦＦ状態との２つの状態のみをとらせるように構成されている、液晶表示装置が提供される。
【０００９】
好ましくは、上記第１方向に配列される画素の個数は、上記第２方向に配列される画素の個数よりも多い。この場合、上記第１電極の個数は前記第２方向に配列される画素の個数の整数倍となり、上記第２電極の個数は上記第１方向に配列される画素の個数と等しくなる。従って、上記第２方向に配列される画素の個数は少ないから、第１電極の個数がその整数倍になっても液晶表示装置の大型化につながることはない。
【００１０】
好ましくは、上記各画素は、隣接する所定個数の第１電極及び１個の第２電極に対応しており、上記所定個数の第１電極を覆うカラーフィルタは相互に色が異なる。この構成により、液晶表示装置は複数色のカラー表示が可能となる。
【００１１】
本発明の一つの実施形態では、上記複数の画素は、所定個数の単位表示セクションにグループ分けされている。また、記第１電極は複数の第１配線を介して上記ドライバの走査信号供給用端子に接続されており、上記第２電極は複数の第２配線を介して上記ドライバの制御信号供給用端子に接続されている。さらに、上記第１電極は第１端と当該第１端とは反対の第２端を有しており、上記第１電極のうちの選択されたものは上記第１端にて上記第１配線に接続されており、他の第１電極は上記第２端にて上記第１配線に接続されている。好ましくは、上記ドライバは長矩形状であり、両短辺に上記走査信号供給用端子に備えており、一方の長辺に上記制御信号供給用端子を備えている。
【００１２】
本発明の別の実施形態では、上記ドライバは長矩形状であり、一方の長辺に上記走査信号供給用端子と上記制御信号供給用端子を備えている。
【００１３】
本発明のその他の特徴および利点は、添付図面を参照して以下に行う詳細な説明によって、より明らかとなろう。
【図面の簡単な説明】
【００１４】
【図１】本発明の第１実施形態に係る液晶表示装置の全体を示す平面図である。
【図２】第１実施形態に係る液晶表示装置を示す要部模式図である。
【図３】第１実施形態に係る液晶表示装置を示す要部拡大図である。
【図４】図３のＩＶ−ＩＶ線に沿う断面図である。
【図５】本発明の第２実施形態に係る液晶表示装置の全体を示す平面図である。
【図６】第２実施形態に係る液晶表示装置を示す要部模式図である。
【図７】第２実施形態に係る液晶表示装置を示す要部拡大図である。
【図８】本発明の第３実施形態に係る液晶表示装置を示す要部模式図である。
【図９】従来の液晶表示装置の一例を示す要部模式図である。
【発明を実施するための最良の形態】
【００１５】
以下、本発明の好ましい実施の形態につき、図面を参照して具体的に説明する。【００１６】
図１〜図４は、本発明の第１実施形態に係る液晶表示装置Ａ１を示している。本実施形態の液晶表示装置Ａ１は、１対の基板１Ａ，１Ｂ、複数の第１電極（走査電極）２Ｒ，２Ｇ、複数の第２電極（対向電極）３、複数の第１配線２１Ｒ，２１Ｇ、複数の第２配線３１、およびドライバ７を備えており、黒色を含む４色表示可能なカラー液晶表示装置である。図２では、理解の便宜上、１対の基板１Ａ，１Ｂを省略している。図３は、液晶表示装置Ａ１の要部拡大図であり、図４は、液晶表示装置Ａ１の断面図である。【００１７】
図１に示すように、基板１Ａ，１Ｂの各々は、長矩形状とされており、たとえばガラス製の透明基板で構成されている。１対の基板１Ａ，１Ｂは、液晶層８１を挟んで対向配置されている。基板１Ｂは、基板１Ａよりも幅が大きい。基板１Ｂの下方には、照明装置（図示略）が配置されている。１対の基板１Ａ，１Ｂは、この照明装置からの光を透過可能とされている。基板１Ａの外面は、表示面１１を提供している。【００１８】
１対の基板１Ａ，１Ｂ間の空間はシール材（図示略）により密閉されている。図４に示すように、その密閉空間に液晶層８１が形成される。液晶層８１は、ネマチック液晶などの液晶材料からなる。液晶層８１の偏光状態が表示されるべき画像に応じて変更されることにより、この液晶層８１を透過する光の強度が調整される。これにより、液晶表示装置Ａ１の画像表示が実現される。【００１９】
図４に示すように、複数の第１電極２Ｒ，２Ｇは基板１Ａの内面に形成されている。第１電極２Ｒ，２Ｇは、たとえばＩＴＯなどからなり、透明である。第２電極２Ｒ，２Ｇは、図２のｙ方向（基板の幅方向）に相互に間隔をあけてｘ方向（基板の長手方向）に延びている。図３および図４に示すように、符号２Ｒで特定される各第１電極は、赤色のフィルタ４Ｒで覆われており、符合２Ｇで特定される各第１電極は、緑色のフィルタ４Ｇで覆われている。フィルタ４Ｒ，４Ｇは、それぞれ赤色および緑色の光を透過させる薄膜である。従って、第１電極２Ｒ，２Ｇは、それぞれ赤色発光用および緑色発光用に用いられる。また、互いに隣り合う一定数の第１電極２Ｒ，２Ｇにより、１文字（又は数字又はシンボル）に相当する第１電極グループ２０が構成されている。【００２０】
図４に示すように、複数の第２電極３は基板１Ｂの内面に形成されている。第２電極３は、たとえばＩＴＯなどからなり、透明である。第２電極３は、図２のｘ方向に相互に間隔をあけてｙ方向に延びている。互いに隣り合う一定数の第２電極３により、１文字（又は数字又はシンボル）に相当する第２電極グループ３０が構成されている。【００２１】
図４に示すように、各第１電極２Ｒ，２Ｇおよび各第２電極３は、それぞれ保護膜８２により覆われている。保護膜８２は、第１電極２Ｒ，２Ｇおよび第２電極３を保護する機能と、液晶層８１に対する配向機能とを有する。【００２２】
図２および図３に示すように、２本の隣接する第１電極２Ｒ，２Ｇと１本の第２電極３とにより、１個の画素５が形成される。各画素５は、後述するように、第１配線２Ｒ，２Ｇへの印加状態に応じて黒色を含む４色の状態をとることが可能とされている。【００２３】
図１に示すように、本実施形態において、表示面１１はｘ方向に８列、ｙ方向に２行、合計１６個の単位表示セクション６を設定されている。各単位表示セクション６は、１文字（又は数字又はシンボル）を表示するための領域である。図２および図３に示すように、各単位表示セクション６は、１つの第１電極グループ２０と１つの第２電極グループ３０との交差部に形成され、マトリクス状に配置された複数の画素５を含んでいる。【００２４】
図２に示すように、第１電極２Ｒ，２Ｇは、第１配線２１Ｒ，２１Ｇを介してドライバ７の走査信号供給端子に接続されている。また、第２電極３は、第２配線３１を介してドライバ７の制御信号供給端子に接続されている。ドライバ７は、図１に示すように、基板１Ｂのうち基板１Ａから延出した部分に搭載されている。ドライバ７は、第１電極２Ｒ，２Ｇに対して一定周期で走査信号（一定電圧）を供給する一方、個々の第２電極３に対して選択的に制御信号（一定電圧）を供給する。第１電極２Ｒ，２Ｇに対する走査信号も第２電極３に対する制御信号も、一定電圧が印加されたＯＮ状態と、電圧が印加されないＯＦＦ状態との２つの状態をとらせるものである。ドライバ７は、単位表示セクション６に表示させる画像データを有する。画像データは、たとえばアスキーコードなどの画像識別コード毎に準備された、各単位表示セクション６に含まれる複数の画素５の発光パターンに対応する。ドライバ７には、機外からの信号受信および電力供給のためのプリント配線基板７１が繋がっている。【００２５】
第１配線２１Ｒ，２１Ｇおよび第２配線３１は、基板１Ａ，１Ｂに形成されたいわゆる配線パターンであり、たとえばＩＴＯ、Ａｕ、Ｃｕなどの導電材料からなる。図２に示すように符号２１Ｒで特定される第１配線は、第１電極２Ｒに対して図中左方から繋がっており、かつドライバ７の図中左端へとまとまって接続されている。符号２１Ｇで特定される第１配線は、第１電極２Ｇに対して図中右方から繋がっており、かつドライバ７の図中右端へとまとまって接続されている。【００２６】
液晶表示装置Ａ１による表示は以下のように行われる。プリント配線基板７１を介してドライバ７に、各単位表示セクション６に表示させるべき画像識別コードと色データとが随時入力される。本実施形態においては、色データは、赤色、緑色、黄色、黒色のいずれかである。ドライバ７には、上述したように画像データが記憶されている。ドライバ７は、一定周期で第１電極２Ｒ，２Ｇに走査信号を供給しつつ、発光させるべき画素５に対応する第２電極３に選択的に制御信号（電圧）を供給する。この際、ある単位表示セクション６に表示すべき画像（文字又は数字又はシンボル）が赤色である場合は、ＯＮ状態とするべき画素５に対応する第１電極２Ｒに走査信号が供給されたときに、当該画素５に対応する第２電極３に対して選択的に制御信号が供給される。また、ある単位表示セクション６に表示すべき画像が緑色である場合は、ＯＮ状態とするべき画素５に対応する第１電極２Ｇに走査信号が供給されたときに、当該画素５に対応する第２電極３に対して選択的に制御信号が供給される。また、ある単位表示セクション６に表示すべき画像が黄色である場合は、ＯＮ状態とするべき画素５に対応する第１電極２Ｒ，２Ｇに走査信号が供給されたときに、当該画素５に対応する第２電極３に対して選択的に制御信号が供給される。一方、黒色のままとされるべき画素５については、当該画素に対応する第１電極２Ｒ，２Ｇに走査信号が供給されても、当該画素に対応する第２電極３には制御信号を供給しない。このように、ドライバ７による画像表示は、各単位表示セクション６において、各画素５ごとに赤色および緑色の点灯及び非点灯を選択することにより行える。【００２７】
本実施形態の液晶表示装置Ａ１においては、カラー表示は行うものの、フルカラー表示ではなく、赤色、緑色、黄色、黒色からなる４色表示を行わせるものである。従って、第１電極２Ｒ，２Ｇに供給される走査信号も第２電極３に供給される制御信号もＯＮ状態かＯＦＦ状態のいずれかであればよく（その結果、液晶層８１もＯＮ状態又はＯＦＦ状態の２つの状態になる）、信号電圧に複数の階調を設定する必要はない。このため、第１電極２Ｒ，２Ｇに制御信号を供給し、第２電極３に走査信号を供給するようにしても、同じカラー表示することは可能である。【００２８】
しかしながら、本実施形態においては、カラーフィルタ４Ｒ，４Ｇにより覆われる第１電極２Ｒ，２Ｇに走査信号を供給するようにしている。その理由は次のとおりである。すなわち、第２電極３に代えて第１電極２Ｒ，２Ｇを図２のｘ方向に間隔をあけて設けると仮定すると、ｘ方向に並ぶ画素５の総数の２倍の本数の第１電極２Ｒ，２Ｇを設けなければならない。図１から容易に理解できるように、表示面１１がｘ方向に長く、ｙ方向に短い場合には、ｘ方向の画素数が多くなるから、ｘ方向に第１電極２Ｒ，２Ｇを間隔をあけて設ける場合には、その多い画素数の２倍の個数の第１電極を設けなければならない。これに対して、ｙ方向の画素数はもともと少ないから、その個数の２倍の個数の第１電極２Ｒ，２Ｇをｙ方向に間隔をあけて設けても、設けるべき第１電極の個数は遥かに少なくて済む。一方、第２電極３の本数は、ｘ方向に並ぶ画素５の数と同一となる。この第２電極３の本数は、たとえば図９に示された従来例における各色用の第２電極９２Ｒ，９２Ｇ，９２Ｂ（複数の階調電圧からなる制御信号が供給される）の個数と比べて格段に少ない。従って、第１電極２Ｒ，２Ｇ及び第２電極３の総数、並びにドライバ７に入線する第１配線２１Ｒ，２１Ｇ及び第２配線３１の総数を少なくすることができる。このように、本実施形態よれば、カラー表示を可能としつつ、液晶表示装置Ａ１の構造を簡易化し、且つドライバ７による制御を容易化することができる。【００２９】
上述したように、第１電極２Ｒ，２Ｇに供給される走査信号も第２電極３に供給される制御信号もＯＮ状態かＯＦＦ状態のいずれかであればよく、信号電圧に複数の階調を設定する必要はない。従って、液晶表示装置Ａ１を駆動するためのドライバ７として、モノクロ画像表示制御が可能なドライバを用いればよい。モノクロ画像表示用ドライバ７は、その機能がシンプルであり、比較的小型としやすい。したがって、液晶表示装置Ａ１の小型化を図ることが可能であるとともに、製造コストの低減を図ることができる。【００３０】
さらに、図２に示すように、赤色に対応する第１電極２Ｒは図中左方に形成された第１配線２１Ｒを介してドライバ７と接続される一方、緑色に対応する第１電極２Ｇは図中右方に形成された第１配線２１Ｇを介してドライバ７に接続されている。このため第１配線２１Ｒ，２１Ｇの全体として、混み合うことがなく、第２電極３に対する第２配線３１を含めて、配線パターンの形成が容易となり、短絡等の電気的不良も生じ難い。【００３１】
図５〜図７は、本発明の第２実施形態に係る液晶表示装置Ａ２を示している。これらの図面においては、上記第１実施形態と同一または類似の要素には、同一の符号を付している。【００３２】
図６に示すように、液晶表示装置Ａ２は、フルドット・擬似フルカラー表示機能を有しており、図１及び２に示すような複数の単位表示セクション６には分割されていない。液晶表示装置Ａ２は、複数の第１電極（走査電極）２Ｒ，２Ｇ，２Ｂと複数の第２電極（対向電極）３とを備えている。図７に示すように、第１電極２Ｒ，２Ｇ，２Ｂには、それぞれフィルタ４Ｒ，４Ｇ，４Ｂが重ねられている。フィルタ４Ｒ，４Ｇ，４Ｂは、それぞれ赤色、緑色、青色の光を透過する。【００３３】
第１電極２Ｒ，２Ｇ，２Ｂおよび第２電極３は、いずれも等ピッチで配置されており、マトリクス状に配置された複数の画素５を形成している。また、図６に示すように、図中上側半分の第１電極２Ｒ，２Ｇ，２Ｂは図中右側に形成した第１配線２１Ｒ，２１Ｇ，２１Ｂを介してドライバ７に接続されており、図中下側半分の第１電極２Ｒ，２Ｇ，２Ｂは図中左側に形成した第１配線２１Ｒ，２１Ｇ，２１Ｂを介してドライバ７に接続されている。【００３４】
第２実施形態においては、ドライバ７には、表示面１１に表示させる画像データが入力される。ドライバ７は、この画像データに応じて、各第１電極２Ｒ，２Ｇ，２Ｂに一定周期で走査信号を供給しつつ、複数の第２電極３に選択的に制御信号（電圧）を供給する。これにより各画素５は、発色状態としての赤色、緑色、青色、黄色、水色、紫色、白色の７色と、非発色状態としての黒色との計８色表示が可能となっている。【００３５】
第２実施形態においても、電極２Ｒ，２Ｇ，２Ｂ，３の総数及び配線２１Ｒ，２１Ｇ，２１Ｂ，３１の総数を削減すること、ドライバ７の構造及び機能を簡素化すること、並びに液晶表示装置Ａ２の小型化を図ることが可能である。また、擬似フルカラー表示を行うには、ＲＧＢ各色についてＯＮ／ＯＦＦ状態を選択して８色表示を行うだけでよいから、ドライバ７としてモノクロ画像表示用ドライバを使用することができる。【００３６】
図８は、本発明の第３実施形態に係る液晶表示装置Ａ３を示している。この液晶表示装置Ａ３は、ドライバ７に対する複数の第１配線２１Ｒ，２１Ｇ，２１Ｂの接続位置が、図６に示された液晶表示装置Ａ２と異なっている。すなわち、液晶表示装置Ａ３では、第１配線２１Ｒ，２１Ｇ，２１Ｂは、ドライバ７の図中上側長辺の両端近傍に接続されている。第３実施形態と同様に、図２に示す第１実施形態においても、複数の第１配線２１Ｒ，２１Ｇをドライバ７の図中上側長辺に接続する構成としても良い。【００３７】
本発明に係る液晶表示装置は、上述した実施形態に限定されるものではない。本発明に係る液晶表示装置の各部の具体的な構成は、請求の範囲に記載された発明思想の範囲内で種々に設計変更自在である。例えば、フィルタとしては、ＲＧＢ各色を透過させるものを用いることが合理的であるが、これに限定されず、ＲＧＢ以外の色を選択的に透過させるフィルタであってもよい。また、ＲＧＢ各色用のフィルタのうち、いずれのフィルタを採用してもよい。液晶表示装置の画素の数、単位表示セクションの数、およびこれらの配列形態も上記実施形態に限定されない。
【図１】
2007069636.tif 000003
【図２】
2007069636.tif 000004
【図３】
2007069636.tif 000005
【図４】
2007069636.tif 000006
【図５】
2007069636.tif 000007
【図６】
2007069636.tif 000008
【図７】
2007069636.tif 000009
【図８】
2007069636.tif 000010
【図９】
2007069636.tif 000011
【国際調査報告】
2007069636.tif 000012
2007069636.tif 000013
2007069636.tif 000014